【手続補正書】
【提出日】平成20年3月3日(2008.3.3)
【手続補正１】
【補正対象書類名】明細書
【補正対象項目名】特許請求の範囲
【補正方法】変更
【補正の内容】
【特許請求の範囲】
【請求項１】
透明基板の厚さがｔ1である第１の光情報記録媒体に対して光束を照射することで情報の記録又は再生を行うようになっている波長λ1の第１光源と、透明基板の厚さがｔ2（ｔ1＜ｔ2）である第２の光情報記録媒体に対して光束を照射することで情報の記録又は再生を行うようになっている波長λ2（λ1＜λ2）である第２光源と、前記第１及び前記第２光源から出射された光束を、前記第１及び前記第２光情報記録媒体の透明基板を介して情報記録面に集光させる対物レンズを含む集光光学系と、を有する光ピックアップ装置用の対物レンズにおいて、前記対物レンズが均一の光学材料で形成され、前記光学材料の温度変化に対する屈折率変化ｄｎ／ｄＴの値が、前記光源の波長及び室温温度環境下において、
｜ｄｎ／ｄＴ｜≦１０．０×１０-6（／℃）
であるとともに、前記対物レンズは、光軸に交差する方向に並べられた少なくとも２つの光学機能面毎に、光学的作用を異ならしめるように形成され、少なくとも最も外側の前記光学機能面を通過する光束が、前記第１の光情報記録媒体の情報の記録又は再生にのみ利用されることを特徴とする光ピックアップ装置用の対物レンズ。
【請求項２】
前記各光学機能面が、境界部分で段差をもって形成されることを特徴とする請求項１に記載の光ピックアップ装置用の対物レンズ。
【請求項３】
前記対物レンズは屈折面だけで構成され、前記光学機能面が少なくとも３つ形成され、最も内側の前記光学機能面を通る光束は、前記第１及び第２光情報記録媒体の情報の記録又は再生に利用され、中間の前記光学機能面を通る光束は、前記第２の光情報記録媒体の情報の記録又は再生に利用され、最も外側の前記光学機能面を通る光束は、前記第１の光情報記録媒体の情報の記録又は再生に利用されることを特徴とする請求項１又は２に記載の光ピックアップ装置用の対物レンズ。
【請求項４】
前記中間の光学機能面において、光軸に近い境界部分よりも光軸から遠い境界部分の段差の方が大きいことを特徴とする請求項３に記載の光ピックアップ装置用の対物レンズ。
【請求項５】
最も内側の前記光学機能面及び最も外側の前記光学機能面は、前記第１の光情報記録媒体に対する情報の記録又は再生時における球面収差が０．０４λ1ｒｍｓ以下に補正され、前記中間の光学機能面は、透明基板厚さｔc（ｔ1＜ｔc＜ｔ2）の光情報記録媒体に対して球面収差が最も小さくなるように補正されていることを特徴とする請求項３又は４に記載の光ピックアップ装置用の対物レンズ。
【請求項６】
前記対物レンズは、少なくとも２つの前記光学機能面を有し、少なくとも１つの前記光学機能面は回折構造を有し、最も光軸に近い前記光学機能面は、それを通過する光束を利用して、前記第１の光情報記録媒体及び前記第２の光情報記録媒体に対して情報の記録又は再生を行う際における球面収差を補正するように設計され、最も外側の前記光学機能面では、前記第１の光情報記録媒体における球面収差を補正するとともに、前記第２の光情報記録媒体ではオーバーの球面収差を発生させることを特徴とする請求項１に記載の光ピックアップ装置用の対物レンズ。
【請求項７】
前記各光学機能面を通過する光束は、前記対物レンズの何れかの面で前記回折構造を通過し、最も外側の前記光学機能面の回折構造の回折ピッチが５μｍ以上４０μｍ以下であることを特徴とする請求項６に記載の光ピックアップ装置用の対物レンズ。
【請求項８】
前記第２の光情報記録媒体に対して情報の記録又は再生を行う際に発生するオーバーの球面収差は、光軸側から周辺に向かって増加させることを特徴とする請求項６又は７に記載の光ピックアップ装置用の対物レンズ。
【請求項９】
前記第２の光情報記録媒体に対して情報の記録又は再生を行う際に発生する球面収差が、前記光学機能面の境界部分で不連続であり、球面収差の不連続量が１０μｍ以上３０μｍ以下であることを特徴とする請求項６乃至８のいずれかに記載の光ピックアップ装置用の対物レンズ。
【請求項１０】
最も内側の前記光学機能面において、前記第１の光情報記録媒体及び前記第２の光情報記録媒体に対して、同じ次数の回折光を用いて情報の記録又は再生を行うことを特徴とする請求頁６乃至９のいずれかに記載の光ピックアップ装置用の対物レンズ。
【請求項１１】
前記第１の光情報記録媒体に対して情報の記録又は再生を行う際に、外側の前記光学機能面の回折構造で発生する最も強度の高い回折光の回折次数ｎotと、内側の前記光学機能面の回折構造で発生する最も強度の高い回折光の回折次数ｎinとは、
｜ｎot｜≧｜ｎin｜
を満たすことを特徴とする請求項６乃至９のいずれかに記載の光ピックアップ装置用の対物レンズ。
【請求項１２】
前記回折構造は、鋸歯状の回折輪帯が形成され、外側と内側の光学機能面に形成された回折輪帯の設計基準波長が異なることを特徴とする請求項６乃至１１のいずれかに記載の光ピックアップ装置用の対物レンズ。
【請求項１３】
前記対物レンズは、少なくとも３つの前記光学機能面を有し、最も内側の前記光学機能面は屈折面だけで構成され、中間の前記光学機能面は回折構造を有し、前記第１の光情報記録媒体及び前記第２の光情報記録媒体に対する情報の記録又は再生時に用いる光束が、中間の前記光学機能面を通過することを特徴とする請求項６に記載の光ピックアップ装置用の対物レンズ。
【請求項１４】
最も外側の前記光学機能面に鋸歯状の回折輪帯が形成され、前記最も外側の光学機能面の設計基準波長λ0が、０．９λ1≦λ0≦１．１λ1であることを特徴とする請求項１３に記載の光ピックアップ装置用の対物レンズ。
【請求項１５】
最も外側の光学機能面は、屈折面のみから構成されていることを特徴とする請求項１３に記載の光ピックアップ装置用の対物レンズ。
【請求項１６】
前記対物レンズにおける前記第１の光情報記録媒体に対して情報の記録又は再生を行う際の結像倍率ｍ１が、−１／４≦ｍ１≦１／８を満たすことを特徴とする請求項１乃至１５のいずれかに記載の光ピックアップ装置用の対物レンズ。
【請求項１７】
前記対物レンズにおける前記第２の光情報記録媒体に対して情報の記録又は再生を行う際の結像倍率ｍ２が、０．９８ｍ１≦ｍ２≦１．０２ｍ１を満たすことを特徴とする請求項１乃至１６のいずれかに記載の光ピックアップ装置用の対物レンズ。
【請求項１８】
前記第１の光情報記録媒体に対して情報の記録又は再生を行う際の開口絞りの大きさと、前記第２の光情報記録媒体に対して情報の記録又は再生を行う際の開口絞りの大きさとが同じであることを特徴とする請求項１乃至１７のいずれかに記載の光ピックアップ装置用の対物レンズ。
【請求項１９】
前記第１の光情報記録媒体に対して情報の記録又は再生を行う際の必要開口数ＮＡ１は、ＮＡ１≧０．６０を満たすことを特徴とする請求項１乃至１８のいずれかに記載の光ピックアップ装置用の対物レンズ。
【請求項２０】
前記第１光源の波長λ1は６７０ｎｍ以下であることを特徴とする請求項１乃至１９のいずれかに記載の光ピックアップ装置用の対物レンズ。
【請求項２１】
前記光学材料は光学ガラスであり、分散値νｄ＞５０であることを特徴とする請求項１乃至２０のいずれかに記載の光ピックアップ装置用の対物レンズ。
【請求項２２】
透明基板の厚さがｔ1である第１の光情報記録媒体に対して光束を照射することで情報の記録又は再生を行うようになっている波長λ1の第１光源と、透明基板の厚さがｔ2（ｔ1＜ｔ2）である第２の光情報記録媒体に対して光束を照射することで情報の記録又は再生を行うようになっている波長λ2（λ1＜λ2）である第２光源と、前記第１及び前記第２光源から出射された光束を、前記第１及び前記第２光情報記録媒体の透明基板を介して情報記録面に集光させる対物レンズを含む集光光学系と、を有する光ピックアップ装置用の対物レンズにおいて、前記対物レンズが、少なくとも２種類の光学材料からなる複数の光学素子を貼り合わせることによって形成された貼り合せレンズであり、前記複数の光学素子のうち、パワー成分の強い方の光学素子に使用されている光学材料の温度変化に対する屈折率変化ｄｎ／ｄＴの値が、
｜ｄｎ／ｄＴ｜≦ １０．０×１０-6（／℃）
を満たすと共に、前記対物レンズは、光軸に交差する方向に並べられた少なくとも２つの光学機能面毎に、光学的作用を異ならしめるように形成され、少なくとも最も外側の前記光学機能面を通過する光束が、前記第１の光情報記録媒体の情報の記録又は再生にのみ利用されることを特徴とする光ピックアップ装置用の対物レンズ。
【請求項２３】
前記複数の光学素子のうち、前記パワー成分の強い方の光学素子以外の光学素子の少なくとも一つは、プラスチック材料から形成されていることを特徴とする請求項２２に記載の光ピックアップ装置用の対物レンズ。
【請求項２４】
プラスチック材料から形成されている前記光学素子の光学面に、複数の光学機能面を形成したことを特徴とする請求項２３に記載の光ピックアップ装置用の対物レンズ。
【請求項２５】
前記各光学機能面が、境界部分で段差をもって形成されることを特徴とする請求項２２乃至２４のいずれかに記載の光ピックアップ装置用の対物レンズ。
【請求項２６】
前記対物レンズは屈折面だけで構成され、前記光学機能面が少なくとも３つ形成され、最も内側の前記光学機能面を通る光束は、前記第１及び第２光情報記録媒体の情報の記録又は再生に利用され、中間の前記光学機能面を通る光束は、前記第２の光情報記録媒体の情報の記録又は再生に利用され、最も外側の前記光学機能面を通る光束は、前記第１の光情報記録媒体の情報の記録又は再生に利用されることを特徴とする請求項２２乃至２５のいずれかに記載の光ピックアップ装置用の対物レンズ。
【請求項２７】
前記中間の光学機能面において、光軸に近い境界部分よりも光軸から遠い境界部分の段差の方が大きいことを特徴とする請求項２６に記載の光ピックアップ装置用の対物レンズ。
【請求項２８】
最も内側の前記光学機能面及び最も外側の前記光学機能面は、前記第１の光情報記録媒体に対する情報の記録又は再生時における球面収差が０．０４λ1ｒｍｓ以下に補正され、前記中間の光学機能面は、透明基板厚さｔc（ｔ1＜ｔc＜ｔ2）の光情報記録媒体に対して球面収差が最も小さくなるように補正されていることを特徴とする請求項２６又は２７に記載の光ピックアップ装置用の対物レンズ。
【請求項２９】
前記対物レンズは、少なくとも２つの前記光学機能面を有し、少なくとも１つの前記光学機能面は回折構造を有し、最も光軸に近い前記光学機能面は、それを通過する光束を利用して、前記第１の光情報記録媒体及び前記第２の光情報記録媒体に対して情報の記録又は再生を行う際における球面収差を補正するように設計され、最も外側の前記光学機能面では、前記第１の光情報記録媒体における球面収差を補正するとともに、前記第２の光情報記録媒体ではオーバーの球面収差を発生させることを特徴とする請求項２２乃至２４のいずれかに記載の光ピックアップ装置用の対物レンズ。
【請求項３０】
前記各光学機能面を通過する光束は、前記対物レンズの何れかの面で前記回折構造を通過し、最も外側の前記光学機能面の回折構造の回折ピッチが５μｍ以上４０μｍ以下であることを特徴とする請求項２９に記載の光ピックアップ装置用の対物レンズ。
【請求項３１】
前記第２の光情報記録媒体に対して情報の記録又は再生を行う際に発生するオーバーの球面収差は、光軸側から周辺に向かって増加させることを特徴とする請求項２９又は３０に記載の光ピックアップ装置用の対物レンズ。
【請求項３２】
前記第２の光情報記録媒体に対して情報の記録又は再生を行う際に発生する球面収差が、前記光学機能面の境界部分で不連続であり、球面収差の不連続量が１０μｍ以上３０μｍ以下であることを特徴とする請求項２９乃至３１のいずれかに記載の光ピックアップ装置用の対物レンズ。
【請求項３３】
最も内側の前記光学機能面において、前記第１の光情報記録媒体及び前記第２の光情報記録媒体に対して、同じ次数の回折光を用いて情報の記録又は再生を行うことを特徴とする請求頁２９乃至３２のいずれかに記載の光ピックアップ装置用の対物レンズ。
【請求項３４】
前記第１の光情報記録媒体に対して情報の記録又は再生を行う際に、外側の前記光学機能面の回折構造で発生する最も強度の高い回折光の回折次数ｎotと、内側の前記光学機能面の回折構造で発生する最も強度の高い回折光の回折次数ｎinとは、
｜ｎot｜≧｜ｎin｜
を満たすことを特徴とする請求項２９乃至３２のいずれかに記載の光ピックアップ装置用の対物レンズ。
【請求項３５】
前記回折構造は、鋸歯状の回折輪帯が形成され、外側と内側の光学機能面に形成された回折輪帯の設計基準波長が異なることを特徴とする請求項２９乃至３４のいずれかに記載の光ピックアップ装置用の対物レンズ。
【請求項３６】
前記対物レンズは、少なくとも３つの前記光学機能面を有し、最も内側の前記光学機能面は屈折面だけで構成され、中間の前記光学機能面は回折構造を有し、前記第１の光情報記録媒体及び前記第２の光情報記録媒体に対する情報の記録又は再生時に用いる光束が、中間の前記光学機能面を通過することを特徴とする請求項２９に記載の光ピックアップ装置用の対物レンズ。
【請求項３７】
最も外側の前記光学機能面に鋸歯状の回折輪帯が形成され、前記最も外側の光学機能面の設計基準波長λ0が、
０．９λ1≦λ0≦１．１λ1
であることを特徴とする請求項３６に記載の光ピックアップ装置用の対物レンズ。
【請求項３８】
最も外側の光学機能面は、屈折面のみから構成されていることを特徴とする請求項３６に記載の光ピックアップ装置用の対物レンズ。
【請求項３９】
前記対物レンズにおける前記第１の光情報記録媒体に対して情報の記録又は再生を行う際の結像倍率ｍ１が、
−１／４≦ｍ１≦１／８
を満たすことを特徴とする請求項２２乃至３８のいずれかに記載の光ピックアップ装置用の対物レンズ。
【請求項４０】
前記対物レンズにおける前記第２の光情報記録媒体に対して情報の記録又は再生を行う際の結像倍率ｍ２が、
０．９８ｍ１≦ｍ２≦１．０２ｍ１
を満たすことを特徴とする請求項２２乃至３９のいずれかに記載の光ピックアップ装置用の対物レンズ。
【請求項４１】
前記第１の光情報記録媒体に対して情報の記録又は再生を行う際の開口絞りの大きさと、前記第２の光情報記録媒体に対して情報の記録又は再生を行う際の開口絞りの大きさとが同じであることを特徴とする請求項２２乃至４０のいずれかに記載の光ピックアップ装置用の対物レンズ。
【請求項４２】
前記第１の光情報記録媒体に対して情報の記録又は再生を行う際の必要開口数ＮＡ１は、
ＮＡ１≧０．６０
を満たすことを特徴とする請求項２２乃至４１のいずれかに記載の光ピックアップ装置用の対物レンズ。
【請求項４３】
前記第１光源の波長λ1は６７０ｎｍ以下であることを特徴とする請求項２２乃至４２のいずれかに記載の光ピックアップ装置用の対物レンズ。
【請求項４４】
前記光学材料は光学ガラスであり、分散値νｄ＞５０であることを特徴とする請求項２２乃至４３のいずれかに記載の光ピックアップ装置用の対物レンズ。
【請求項４５】
透明基板の厚さがｔ1である第１の光情報記録媒体に対して光束を照射することで情報の記録又は再生を行うようになっている波長λ1の第１光源と、透明基板の厚さがｔ2（ｔ1＜ｔ2）である第２の光情報記録媒体に対して光束を照射することで情報の記録又は再生を行うようになっている波長λ2（λ1＜λ2）である第２光源と、前記第１及び前記第２光源から出射された光束を、前記第１及び前記第２光情報記録媒体の透明基板を介して情報記録面に集光させる対物レンズを含む集光光学系と、を有する光ピックアップ装置用の対物レンズにおいて、前記対物レンズが均一の光学材料もしくは貼り合せレンズで構成され、対物レンズを構成する要素に用いている中で最もパワーの強い光学材料の温度変化に対する屈折率変化ｄｎ／ｄＴの値が、
｜ｄｎ／ｄＴ｜≦１０．０×１０-6（／℃）
であるとともに、少なくとも対物レンズの周辺部分で第２の光情報記録媒体に対する情報の記録又は再生時の光線の透過率を低くするか或いは遮蔽する制限部材を有し、少なくとも光軸付近を通過する光線は、前記第１の光情報記録媒体及び前記第２の光情報記録媒体に対する情報の記録又は再生時においてそれぞれ球面収差が補正されたことを特徴とする光ピックアップ装置。
【請求項４６】
前記第１の光源から射出された波長λ1の光線は透過し、前記第２の光源から射出された波長λ2の光線は遮蔽する波長選択性絞りを有する請求項４５に記載の光ピックアップ装置。
【請求項４７】
前記対物レンズの少なくとも片面には、ほぼ全面回折構造が用いられるか、あるいは２つ以上の光学的機能面が形成されていることを特徴とする請求項４５又は４６に記載の光ピックアップ装置。
【請求項４８】
前記第１の光情報記録媒体に対する情報の記録又は再生時の結像倍率ｍ１と、前記第２の光情報記録媒体に対する情報の記録又は再生時の結像倍率ｍ２とが、０．９８ｍ１≦ｍ２≦１．０２ｍ１であることを特徴とする請求項４５乃至４７のいずれかに記載の光ピックアップ装置。
【手続補正２】
【補正対象書類名】明細書
【補正対象項目名】００３１
【補正方法】削除
【補正の内容】
【手続補正３】
【補正対象書類名】明細書
【補正対象項目名】００３２
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】００３４
【補正方法】削除
【補正の内容】
【手続補正６】
【補正対象書類名】明細書
【補正対象項目名】００３５
【補正方法】削除
【補正の内容】
【手続補正７】
【補正対象書類名】明細書
【補正対象項目名】００３６
【補正方法】削除
【補正の内容】
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】
【手続補正１０】
【補正対象書類名】明細書
【補正対象項目名】００３９
【補正方法】削除
【補正の内容】
【手続補正１１】
【補正対象書類名】明細書
【補正対象項目名】００４０
【補正方法】削除
【補正の内容】
【手続補正１２】
【補正対象書類名】明細書
【補正対象項目名】００４１
【補正方法】削除
【補正の内容】
【手続補正１３】
【補正対象書類名】明細書
【補正対象項目名】００４２
【補正方法】削除
【補正の内容】
【手続補正１４】
【補正対象書類名】明細書
【補正対象項目名】００４３
【補正方法】削除
【補正の内容】
【手続補正１５】
【補正対象書類名】明細書
【補正対象項目名】００４４
【補正方法】削除
【補正の内容】
【手続補正１６】
【補正対象書類名】明細書
【補正対象項目名】００４５
【補正方法】削除
【補正の内容】
【手続補正１７】
【補正対象書類名】明細書
【補正対象項目名】００４６
【補正方法】削除
【補正の内容】
【手続補正１８】
【補正対象書類名】明細書
【補正対象項目名】００４７
【補正方法】削除
【補正の内容】
【手続補正１９】
【補正対象書類名】明細書
【補正対象項目名】００４８
【補正方法】削除
【補正の内容】
【手続補正２０】
【補正対象書類名】明細書
【補正対象項目名】００４９
【補正方法】削除
【補正の内容】
【手続補正２１】
【補正対象書類名】明細書
【補正対象項目名】００５０
【補正方法】削除
【補正の内容】
【手続補正２２】
【補正対象書類名】明細書
【補正対象項目名】００５１
【補正方法】削除
【補正の内容】
【手続補正２３】
【補正対象書類名】明細書
【補正対象項目名】００５２
【補正方法】変更
【補正の内容】
【００５２】
請求項２２に記載の光ピックアップ装置用の対物レンズは、透明基板の厚さがｔ1である第１の光情報記録媒体に対して光束を照射することで情報の記録又は再生を行うようになっている波長λ1の第１光源と、透明基板の厚さがｔ2（ｔ1＜ｔ2）である第２の光情報記録媒体に対して光束を照射することで情報の記録又は再生を行うようになっている波長λ2（λ1＜λ2）である第２光源と、前記第１及び前記第２光源から出射された光束を、前記第１及び前記第２光情報記録媒体の透明基板を介して情報記録面に集光させる対物レンズを含む集光光学系と、を有する光ピックアップ装置用の対物レンズにおいて、前記対物レンズが、少なくとも２種類の光学材料からなる複数の光学素子を貼り合わせることによって形成された貼り合せレンズであり、前記複数の光学素子のうち、パワー成分の強い方の光学素子に使用されている光学材料の温度変化に対する屈折率変化ｄｎ／ｄＴの値が、
｜ｄｎ／ｄＴ｜≦ １０．０×１０-6（／℃） （２）
を満たすと共に、前記対物レンズは、光軸に交差する方向に並べられた少なくとも２つの光学機能面毎に、光学的作用を異ならしめるように形成され、少なくとも最も外側の前記光学機能面を通過する光束が、前記第１の光情報記録媒体の情報の記録又は再生にのみ利用されるので、温度変化に対する屈折率変化が少ない材料をベースに、それとは異なる材料とを組み合わせて対物レンズを形成することで、異なる透明基板厚さを有する複数の光情報記録媒体に対して、適切に情報の記録又は再生を行うことができる。又、光学素子を貼り合わせて対物レンズを形成した場合、パワーの強いレンズ材料の温度依存性を低くしておけば、貼り合わせた対物レンズトータルの温度依存性を低くすることが可能となる。
【手続補正２４】
【補正対象書類名】明細書
【補正対象項目名】００５３
【補正方法】変更
【補正の内容】
【００５３】
請求項２３に記載の光ピックアップ装置用の対物レンズは、前記複数の光学素子のうち、前記パワー成分の強い方の光学素子以外の光学素子の少なくとも一つは、プラスチック材料から形成されているので、成形が容易であるという特性から、異なる光学的機能面を構成しやすいという利点がある。
【手続補正２５】
【補正対象書類名】明細書
【補正対象項目名】００５４
【補正方法】変更
【補正の内容】
【００５４】
請求項２４に記載の光ピックアップ装置用の対物レンズは、プラスチック材料から形成されている前記光学素子の光学面に、複数の光学機能面を形成したので、製造しやすい対物レンズが供される。
【手続補正２６】
【補正対象書類名】明細書
【補正対象項目名】００５５
【補正方法】変更
【補正の内容】
【００５５】
請求項２５に記載の光ピックアップ装置用の対物レンズは、前記各光学機能面が、境界部分で段差をもって形成されることを特徴とする。かかる発明の作用効果は、請求項２に記載の発明と同様である。
【手続補正２７】
【補正対象書類名】明細書
【補正対象項目名】００５６
【補正方法】変更
【補正の内容】
【００５６】
請求項２６に記載の光ピックアップ装置用の対物レンズは、前記対物レンズは屈折面だけで構成され、前記光学機能面が少なくとも３つ形成され、最も内側の前記光学機能面を通る光束は、前記第１及び第２光情報記録媒体の情報の記録又は再生に利用され、中間の前記光学機能面を通る光束は、前記第２の光情報記録媒体の情報の記録又は再生に利用され、最も外側の前記光学機能面を通る光束は、前記第１の光情報記録媒体の情報の記録又は再生に利用されることを特徴とする。かかる発明の作用効果は、請求項３に記載の発明と同様である。
【手続補正２８】
【補正対象書類名】明細書
【補正対象項目名】００５７
【補正方法】変更
【補正の内容】
【００５７】
請求項２７に記載の光ピックアップ装置用の対物レンズは、前記中間の光学機能面において、光軸に近い境界部分よりも光軸から遠い境界部分の段差の方が大きいことを特徴とする。かかる発明の作用効果は、請求項４に記載の発明と同様である。
【手続補正２９】
【補正対象書類名】明細書
【補正対象項目名】００５８
【補正方法】変更
【補正の内容】
【００５８】
請求項２８に記載の光ピックアップ装置用の対物レンズは、最も内側の前記光学機能面及び最も外側の前記光学機能面は、前記第１の光情報記録媒体に対する情報の記録又は再生時における球面収差が０．０４λ1ｒｍｓ以下に補正され、前記中間の光学機能面は、透明基板厚さｔc（ｔ1＜ｔc＜ｔ2）の光情報記録媒体に対して球面収差が最も小さくなるように補正されていることを特徴とする。かかる発明の作用効果は、請求項５に記載の発明と同様である。
【手続補正３０】
【補正対象書類名】明細書
【補正対象項目名】００５９
【補正方法】変更
【補正の内容】
【００５９】
請求項２９に記載の光ピックアップ装置用の対物レンズは、前記対物レンズは、少なくとも２つの前記光学機能面を有し、少なくとも１つの前記光学機能面は回折構造を有し、最も光軸に近い前記光学機能面は、それを通過する光束を利用して、前記第１の光情報記録媒体及び前記第２の光情報記録媒体に対して情報の記録又は再生を行う際における球面収差を補正するように設計され、最も外側の前記光学機能面では、前記第１の光情報記録媒体における球面収差を補正するとともに、前記第２の光情報記録媒体ではオーバーの球面収差を発生させることを特徴とする。かかる発明の作用効果は、請求項６に記載の発明と同様である。
【手続補正３１】
【補正対象書類名】明細書
【補正対象項目名】００６０
【補正方法】変更
【補正の内容】
【００６０】
請求項３０に記載の光ピックアップ装置用の対物レンズは、前記各光学機能面を通過する光束は、前記対物レンズの何れかの面で前記回折構造を通過し、最も外側の前記光学機能面の回折構造の回折ピッチが５μｍ以上４０μｍ以下であることを特徴とする。かかる発明の作用効果は、請求項７に記載の発明と同様である。
【手続補正３２】
【補正対象書類名】明細書
【補正対象項目名】００６１
【補正方法】変更
【補正の内容】
【００６１】
請求項３１に記載の光ピックアップ装置用の対物レンズは、前記第２の光情報記録媒体に対して情報の記録又は再生を行う際に発生するオーバーの球面収差は、光軸側から周辺に向かって増加させることを特徴とする。かかる発明の作用効果は、請求項８に記載の発明と同様である。
【手続補正３３】
【補正対象書類名】明細書
【補正対象項目名】００６２
【補正方法】変更
【補正の内容】
【００６２】
請求項３２に記載の光ピックアップ装置用の対物レンズは、前記第２の光情報記録媒体に対して情報の記録又は再生を行う際に発生する球面収差が、前記光学機能面の境界部分で不連続であり、球面収差の不連続量が１０μｍ以上３０μｍ以下であることを特徴とする。かかる発明の作用効果は、請求項９に記載の発明と同様である。
【手続補正３４】
【補正対象書類名】明細書
【補正対象項目名】００６３
【補正方法】変更
【補正の内容】
【００６３】
請求項３３に記載の光ピックアップ装置用の対物レンズは、最も内側の前記光学機能面において、前記第１の光情報記録媒体及び前記第２の光情報記録媒体に対して、同じ次数の回折光を用いて情報の記録又は再生を行うことを特徴とする。かかる発明の作用効果は、請求項１０に記載の発明と同様である。
【手続補正３５】
【補正対象書類名】明細書
【補正対象項目名】００６４
【補正方法】変更
【補正の内容】
【００６４】
請求項３４に記載の光ピックアップ装置用の対物レンズは、前記第１の光情報記録媒体に対して情報の記録又は再生を行う際に、外側の前記光学機能面の回折構造で発生する最も強度の高い回折光の回折次数ｎotと、内側の前記光学機能面の回折構造で発生する最も強度の高い回折光の回折次数ｎinとは、
｜ｎot｜≧｜ｎin｜ （３）
を満たすことを特徴とする。かかる発明の作用効果は、請求項１１に記載の発明と同様である。
【手続補正３６】
【補正対象書類名】明細書
【補正対象項目名】００６５
【補正方法】変更
【補正の内容】
【００６５】
請求項３５に記載の光ピックアップ装置用の対物レンズは、前記回折構造は、鋸歯状の回折輪帯が形成され、外側と内側の光学機能面に形成された回折輪帯の設計基準波長が異なることを特徴とする。かかる発明の作用効果は、請求項１２に記載の発明と同様である。
【手続補正３７】
【補正対象書類名】明細書
【補正対象項目名】００６６
【補正方法】変更
【補正の内容】
【００６６】
請求項３６に記載の光ピックアップ装置用の対物レンズは、前記対物レンズは、少なくとも３つの前記光学機能面を有し、最も内側の前記光学機能面は屈折面だけで構成され、中間の前記光学機能面は回折構造を有し、前記第１の光情報記録媒体及び前記第２の光情報記録媒体に対する情報の記録又は再生時に用いる光束が、中間の前記光学機能面を通過することを特徴とする。かかる発明の作用効果は、請求項１３に記載の発明と同様である。
【手続補正３８】
【補正対象書類名】明細書
【補正対象項目名】００６７
【補正方法】変更
【補正の内容】
【００６７】
請求項３７に記載の光ピックアップ装置用の対物レンズは、最も外側の前記光学機能面に鋸歯状の回折輪帯が形成され、前記最も外側の光学機能面の設計基準波長λ0が、０．９λ1≦λ0≦１．１λ1であることを特徴とする。かかる発明の作用効果は、請求項１４に記載の発明と同様である。
【手続補正３９】
【補正対象書類名】明細書
【補正対象項目名】００６８
【補正方法】変更
【補正の内容】
【００６８】
請求項３８に記載の光ピックアップ装置用の対物レンズは、最も外側の光学機能面は、屈折面のみから構成されていることを特徴とする。かかる発明の作用効果は、請求項１５に記載の発明と同様である。
【手続補正４０】
【補正対象書類名】明細書
【補正対象項目名】００６９
【補正方法】変更
【補正の内容】
【００６９】
請求項３９に記載の光ピックアップ装置用の対物レンズは、前記対物レンズにおける前記第１の光情報記録媒体に対して情報の記録又は再生を行う際の結像倍率ｍ１が、
−１／４≦ｍ１≦１／８ （４）
を満たすことを特徴とする。かかる発明の作用効果は、請求項１６に記載の発明と同様である。
【手続補正４１】
【補正対象書類名】明細書
【補正対象項目名】００７０
【補正方法】変更
【補正の内容】
【００７０】
請求項４０に記載の光ピックアップ装置用の対物レンズは、前記対物レンズにおける前記第２の光情報記録媒体に対して情報の記録又は再生を行う際の結像倍率ｍ２が、
０．９８ｍ１≦ｍ２≦１．０２ｍ１ （５）
を満たすことを特徴とする。かかる発明の作用効果は、請求項１７に記載の発明と同様である。
【手続補正４２】
【補正対象書類名】明細書
【補正対象項目名】００７１
【補正方法】変更
【補正の内容】
【００７１】
請求項４１に記載の光ピックアップ装置用の対物レンズは、前記第１の光情報記録媒体に対して情報の記録又は再生を行う際の開口絞りの大きさと、前記第２の光情報記録媒体に対して情報の記録又は再生を行う際の開口絞りの大きさとが同じであることを特徴とする。かかる発明の作用効果は、請求項１８に記載の発明と同様である。
【手続補正４３】
【補正対象書類名】明細書
【補正対象項目名】００７２
【補正方法】変更
【補正の内容】
【００７２】
請求項４２に記載の光ピックアップ装置用の対物レンズは、前記第１の光情報記録媒体に対して情報の記録又は再生を行う際の必要開口数ＮＡ１は、
ＮＡ１≧０．６０ （６）
を満たすことを特徴とする。かかる発明の作用効果は、請求項１９に記載の発明と同様である。
【手続補正４４】
【補正対象書類名】明細書
【補正対象項目名】００７３
【補正方法】変更
【補正の内容】
【００７３】
請求項４３に記載の光ピックアップ装置用の対物レンズは、前記第１光源の波長λ1は６７０ｎｍ以下であることを特徴とする。かかる発明の作用効果は、請求項２０に記載の発明と同様である。
【手続補正４５】
【補正対象書類名】明細書
【補正対象項目名】００７４
【補正方法】変更
【補正の内容】
【００７４】
請求項４４に記載の光ピックアップ装置用の対物レンズは、前記光学材料は光学ガラスであり、分散値νｄ＞５０であることを特徴とする。かかる発明の作用効果は、請求項２１に記載の発明と同様である。
【手続補正４６】
【補正対象書類名】明細書
【補正対象項目名】００７５
【補正方法】削除
【補正の内容】
【手続補正４７】
【補正対象書類名】明細書
【補正対象項目名】００７６
【補正方法】削除
【補正の内容】
【手続補正４８】
【補正対象書類名】明細書
【補正対象項目名】００７７
【補正方法】削除
【補正の内容】
【手続補正４９】
【補正対象書類名】明細書
【補正対象項目名】００７８
【補正方法】削除
【補正の内容】
【手続補正５０】
【補正対象書類名】明細書
【補正対象項目名】００７９
【補正方法】削除
【補正の内容】
【手続補正５１】
【補正対象書類名】明細書
【補正対象項目名】００８０
【補正方法】削除
【補正の内容】
【手続補正５２】
【補正対象書類名】明細書
【補正対象項目名】００８１
【補正方法】削除
【補正の内容】
【手続補正５３】
【補正対象書類名】明細書
【補正対象項目名】００８２
【補正方法】削除
【補正の内容】
【手続補正５４】
【補正対象書類名】明細書
【補正対象項目名】００８３
【補正方法】削除
【補正の内容】
【手続補正５５】
【補正対象書類名】明細書
【補正対象項目名】００８４
【補正方法】削除
【補正の内容】
【手続補正５６】
【補正対象書類名】明細書
【補正対象項目名】００８５
【補正方法】削除
【補正の内容】
【手続補正５７】
【補正対象書類名】明細書
【補正対象項目名】００８６
【補正方法】削除
【補正の内容】
【手続補正５８】
【補正対象書類名】明細書
【補正対象項目名】００８７
【補正方法】削除
【補正の内容】
【手続補正５９】
【補正対象書類名】明細書
【補正対象項目名】００８８
【補正方法】削除
【補正の内容】
【手続補正６０】
【補正対象書類名】明細書
【補正対象項目名】００８９
【補正方法】削除
【補正の内容】
【手続補正６１】
【補正対象書類名】明細書
【補正対象項目名】００９０
【補正方法】削除
【補正の内容】
【手続補正６２】
【補正対象書類名】明細書
【補正対象項目名】００９１
【補正方法】削除
【補正の内容】
【手続補正６３】
【補正対象書類名】明細書
【補正対象項目名】００９２
【補正方法】削除
【補正の内容】
【手続補正６４】
【補正対象書類名】明細書
【補正対象項目名】００９３
【補正方法】削除
【補正の内容】
【手続補正６５】
【補正対象書類名】明細書
【補正対象項目名】００９４
【補正方法】削除
【補正の内容】
【手続補正６６】
【補正対象書類名】明細書
【補正対象項目名】００９５
【補正方法】削除
【補正の内容】
【手続補正６７】
【補正対象書類名】明細書
【補正対象項目名】００９６
【補正方法】削除
【補正の内容】
【手続補正６８】
【補正対象書類名】明細書
【補正対象項目名】００９７
【補正方法】削除
【補正の内容】
【手続補正６９】
【補正対象書類名】明細書
【補正対象項目名】００９８
【補正方法】変更
【補正の内容】
【００９８】
請求項４５に記載の光ピックアップ装置は、透明基板の厚さがｔ1である第１の光情報記録媒体に対して光束を照射することで情報の記録又は再生を行うようになっている波長λ1の第１光源と、透明基板の厚さがｔ2（ｔ1＜ｔ2）である第２の光情報記録媒体に対して光束を照射することで情報の記録又は再生を行うようになっている波長λ2（λ1＜λ2）である第２光源と、前記第１及び前記第２光源から出射された光束を、前記第１及び前記第２光情報記録媒体の透明基板を介して情報記録面に集光させる対物レンズを含む集光光学系と、を有する光ピックアップ装置用の対物レンズにおいて、前記対物レンズが均一の光学材料もしくは貼り合せレンズで構成され、対物レンズを構成する要素に用いている中で最もパワーの強い光学材料の温度変化に対する屈折率変化ｄｎ／ｄＴの値が、
｜ｄｎ／ｄＴ｜≦１０．０×１０-6（／℃） （２）
であるとともに、少なくとも対物レンズの周辺部分で第２の光情報記録媒体に対する情報の記録又は再生時の光線の透過率を低くするか或いは遮蔽する制限部材を有し、少なくとも光軸付近を通過する光線は、前記第１の光情報記録媒体及び前記第２の光情報記録媒体に対する情報の記録又は再生時においてそれぞれ球面収差が補正されたので、温度変化に対する屈折率変化が少ない材料を対物レンズに用い、且つ前記遮蔽する部材により前記第２の光情報記録媒体に対する照射量を制限することで、異なる透明基板厚さを有する複数の光情報記録媒体に対して、適切に情報の記録又は再生を行うことができる。
【手続補正７０】
【補正対象書類名】明細書
【補正対象項目名】００９９
【補正方法】変更
【補正の内容】
【００９９】
請求項４６に記載の光ピックアップ装置は、前記第１の光源から射出された波長λ1の光線は透過し、前記第２の光源から射出された波長λ2の光線は遮蔽する波長選択性絞りを有すると、簡素な構成となるので好ましい。
【手続補正７１】
【補正対象書類名】明細書
【補正対象項目名】０１００
【補正方法】変更
【補正の内容】
【０１００】
請求項４７に記載の光ピックアップ装置は、前記対物レンズの少なくとも片面には、ほぼ全面回折構造が用いられるか、あるいは２つ以上の光学的機能面が形成されているので、異なる透明基板厚さを有する複数の光情報記録媒体に対して、適切に情報の記録又は再生を行うことができる。
【手続補正７２】
【補正対象書類名】明細書
【補正対象項目名】０１０１
【補正方法】変更
【補正の内容】
【０１０１】
請求項４８に記載の光ピックアップ装置は、前記第１の光情報記録媒体に対する情報の記録又は再生時の結像倍率ｍ１と、前記第２の光情報記録媒体に対する情報の記録又は再生時の結像倍率ｍ２とが、
０．９８ｍ１≦ｍ２≦１．０２ｍ１ （５）
であることを特徴とする。